【手続補正書】
【提出日】平成18年9月13日(2006.9.13)
【手続補正１】
【補正対象書類名】特許請求の範囲
【補正対象項目名】全文
【補正方法】変更
【補正の内容】
【特許請求の範囲】
【請求項１】
ユーザ（１０）が識別モジュールで自分を識別し、前記識別モジュールが中央ユニット（３０）で前記識別を検査し、前記ユーザの識別に成功すると、乗物（５２、５３、５４）の搭載システム（５５）を介して前記乗物（５２、５３、５４）の使用が許可される、コンピュータ支援による乗物予約システムのための方法であって、
前記中央ユニット（３０）が、前記乗物予約システムの乗物（５２、５３、５４）をすべて登録し、個々の乗物（５２、５３、５４）の時間的及び／又は位置的利用可能性を前記乗物に割り当ててデータベース（３１）に記憶する工程と、
前記ユーザ（１０）が、前記中央ユニット（３０）に接続されたコンピューティング・ユニット（２０）の入力エレメントを介して前記中央ユニット（３０）で自身を識別し、規定可能な時間及び／又は時間期間及び／又は位置に対して乗物（５２、５３、５４）を予約する工程とを含み、前記乗物（５２、５３、５４）が、規定可能な時間及び／又は時間期間及び／又は位置に対して利用可能であると前記中央ユニット（３０）によって示されるものであり、さらに、
前記中央ユニット（３０）のＳＭＳモジュール（３３）が、ＳＭＳ（４１）を用いて移動体無線ネットワーク（６１）を介して、前記ユーザ（１０）の移動体無線装置（４０）に識別コード（４１１）を送信する工程と、
少なくとも前記識別コード（４１１）を含む、前記ユーザ（１０）からの応答ＳＭＳが、前記移動体無線装置（４０）により前記移動体無線ネットワーク（６１）を介して前記中央ユニット（３０）に確認のために送り返され、前記ユーザがその応答ＳＭＳにより前記識別モジュールで識別され、その中央ユニット（３０）により、規定された時間及び／又は時間期間及び／又は位置に対して、通信手段（５７）および前記搭載システム（５５）を介して前記乗物（５２、５３、５４）の使用が許可される工程とを含むこと特徴とする方法。
【請求項２】
前記中央ユニット（３０）は、使用を許可する前に、ＳＭＳを用いて前記乗物（５２、５３、５４）の動作状態を前記乗物（５２、５３、５４）の搭載システム（５５）を介して検査することを特徴とする請求項１に記載の方法。
【請求項３】
前記中央ユニット（３０）の前記ＳＭＳモジュール（３３）は、所望する使用の開始前の所定時間期間内に、前記ＳＭＳ（４１）を用いて前記ユーザ（１０）の前記移動体無線装置（４０）に前記識別コード（４１１）を送信することを特徴とする請求項１または２に記載の方法。
【請求項４】
前記中央ユニット（３０）は、前記コンピューティング・ユニット（２０）上における予約の確認を前記ユーザ（１０）に送信することを特徴とする請求項１乃至３のいずれか１項に記載の方法。
【請求項５】
前記搭載システム（５５）は、定期的に、及び／又は前記中央ユニット（３０）の要求に応じて、前記乗物（５２、５３、５４）の運転状態を検査し、前記中央ユニット（３０）の前記データベース（３１）のデータが更新されることを特徴とする請求項１乃至４のいずれか１項に記載の方法。
【請求項６】
前記中央ユニット（３０）の請求モジュール（３４）によって請求データが計算され、そして前記請求データが前記中央ユニット（３０）の通信モジュールを用いて、移動体無線ネットワーク（６３）のサービス・プロバイダ（７０）に前記中央ユニット（３０、３４）から送信されるものであり、前記請求データは、リースされた乗物（５４）を介して前記ユーザ（１０）が取得したサービスに対するコスト金額を計算するためのコスト・パラメータを含むことを特徴とする請求項１乃至５のいずれか１項に記載の方法。
【請求項７】
前記ＳＭＳ（４１）はさらに、乗物指定（４１２）及び／又は位置（４１２）及び／又は時間（４１２）及び／又は時間間隔（４１２）を含むことを特徴とする請求項１乃至６のいずれか１項に記載の方法。
【請求項８】
前記乗物（５４）がアクセス制御された領域に駐車され、前記ユーザ（１０）が、前記アクセス制御された領域に入るとき、前記識別コード（４１１）を用いて前記アクセス制御された領域の識別モジュールで自分を識別することを特徴とする請求項１乃至７のいずれか１項に記載の方法。
【請求項９】
前記移動体無線装置（４０）が、コンピューティング・ユニット（２０）として使用されることを特徴とする請求項１乃至８のいずれか１項に記載の方法。
【請求項１０】
前記コンピューティング・ユニット（２０）は、１つまたは複数のコンピュータ・ネットワーク（６２）を介して前記中央ユニット（３０）と通信することを特徴とする請求項１乃至９のいずれか１項に記載の方法。
【請求項１１】
前記１つまたは複数のコンピュータ・ネットワーク（６２）は、インターネットを含むことを特徴とする請求項１０に記載の方法。
【請求項１２】
前記ユーザは、前記中央ユニット（３０）における識別のために、前記移動体無線装置（４０）のＭＳＩＳＤＮを示すことを特徴とする請求項１０または１１に記載の方法。
【請求項１３】
前記中央ユニット（３０）は、駐車スペース管理モジュール（３５）および駐車スペース予約モジュール（３６）を含み、それによって、前記乗物の予約中に、目的地についての指示が、前記コンピューティング・ユニット（２０）及び／又は前記目的地における予約された駐車スペースについての指示（４１３）を含む前記ＳＭＳ（４１）によって送信されることを特徴とする請求項１乃至１２のいずれか１項に記載の方法。
【請求項１４】
中央ユニット（３０）でユーザ（１０）を識別する識別モジュールを含み、各場合に、識別モジュールが乗物（５２、５３、５４）に割り当てられ、識別に成功すると、前記乗物が前記中央ユニット（３０）により前記乗物（５２、５３、５４）の搭載システム（５５）を介して使用可能となるコンピュータ支援による乗物登録システムであって、
前記中央ユニット（３０）は記憶モジュール（３１）を含み、それにより、乗物予約システムのすべての乗物（５２、５３、５４）を登録することができ、そして個々の乗物（５２、５３、５４）の時間的及び／又は位置的利用可能性を前記乗物（５２、５３、５４）に割り当てて記憶することができるものであり、さらに、
前記中央ユニットは、ＳＭＳ（４１）を用いて、移動体無線ネットワーク（６１）を介して前記ユーザ（１０）の移動体無線装置（４０）に識別コード（４１１）を送信するＳＭＳモジュール（３３）を含み、そして、
前記システムは、規定可能な時間及び／又は時間期間及び／又は位置に対して乗物（５２、５３、５４）を注文し及び／又は予約する通信手段を有するコンピューティング・ユニット（２０）を含み、前記乗物（５２、５３、５４）が、前記中央ユニット（３０）により、規定可能な時間及び／又は時間期間及び／又は位置で利用可能であると示されるものであり、
前記ユーザ（１０）は、少なくとも前記識別コード（４１１）を含む前記移動体無線装置（４０）のＳＭＳを用いて前記識別モジュールにより識別可能であり、そして前記乗物は、前記中央ユニット（３０）により前記通信手段（５７）および前記乗物（５２、５３、５４）の前記搭載システム（５５）を介して、規定された時間及び／又は時間間隔および位置で使用が許可される、ことを特徴とする、コンピュータ支援による乗物登録システム。
【請求項１５】
前記中央ユニット（３０）は、請求データを前記中央ユニット（３０、３４）から移動体無線ネットワーク（６３）のサービス・プロバイダ（７０）に送信可能な請求モジュール（３４）を含み、請求データは、リースした乗物（５４）を介して前記ユーザが取得したサービスに対して計算可能なコスト金額に基づくコスト・パラメータを含むことを特徴とする請求項１４に記載のコンピュータ支援による乗物登録システム。
【請求項１６】
前記ＳＭＳ（４１）はさらに、乗物指定（４１２）及び／又は位置（４１２）及び／又は時間（４１２）及び／又は時間期間（４１２）を含むことを特徴とする請求項１４または１５に記載のコンピュータ支援による乗物登録システム。
【請求項１７】
前記システムは、利用可能な乗物（５２、５３、５４）の駐車のためのアクセス制御された領域を含み、前記ユーザ（１０）は、前記アクセス制御された領域に、前記識別コード（４１１）によりアクセス可能であることを特徴とする請求項１４乃至１６のいずれか１項に記載のコンピュータ支援による乗物登録システム。
【請求項１８】
前記移動体無線装置（４０）は前記コンピューティング・ユニット（２０）をさらに含むことを特徴とする請求項１４乃至１７のいずれか１項に記載のコンピュータ支援による乗物登録システム。
【請求項１９】
前記システムは、前記コンピュータ・ユニット（２０）を前記中央ユニット（３０）に接続する１つまたは複数のコンピュータ・ネットワーク（６２）を含むことを特徴とする請求項１４乃至１８のいずれか１項に記載のコンピュータ支援による乗物登録システム。
【請求項２０】
前記コンピュータ・ネットワークはインターネットを含むことを特徴とする請求項１９に記載のコンピュータ支援による乗物登録システム。
【請求項２１】
前記中央ユニット（３０）における前記ユーザの前記識別は、前記移動体無線装置（４０）のＭＳＩＳＤＮからなることを特徴とする請求項１９または２０に記載のコンピュータ支援による乗物登録システム。
【請求項２２】
ユーザ（１０）が識別モジュールで自分を識別し、前記識別モジュールが中央ユニット（３０）で前記識別を検査し、前記ユーザ（１０）の識別に成功すると、容量単位が、乗物容量予約システムを介して使用を許可されるコンピュータ支援による乗物容量予約システムのための方法であって
前記中央ユニット（３０）が、前記乗物容量予約システムの容量単位をすべて登録し、前記容量単位の時間的及び／又は位置的利用可能性を前記ユーザ（１０）の乗物に割当て可能にデータベース（３１）に記憶する工程と、
前記ユーザ（１０）が、前記中央ユニット（３０）に接続されたコンピューティング・ユニット（２０）の入力エレメントを介して前記中央ユニット（３０）で自分を識別し、規定可能な時間及び／又は時間期間及び／又は位置に対して少なくとも１つの容量単位を予約する工程とを含み、前記少なくとも１つの容量単位が、前記規定可能な時間及び／又は時間期間及び／又は位置に対して利用可能であると前記中央ユニット（３０）によって示されるものであり、さらに、
前記中央ユニット（３０）のＳＭＳモジュール（３３）が、ＳＭＳ（４１）を用いて移動体無線ネットワーク（６１）を介して、前記ユーザ（１０）の移動体無線装置（４０）に識別コード（４１１）を送信する工程と、
少なくとも前記識別コード（４１１）を含む、前記ユーザ（１０）からの応答ＳＭＳが、前記移動体無線装置（４０）により前記移動体無線ネットワーク（６１）を介して前記中央ユニット（３０）に確認のために送り返され、その応答ＳＭＳを用いて、前記ユーザが前記識別モジュールによって識別され、その中央ユニット（３０）により、前記少なくとも１つの容量単位が、前記容量単位へのアクセス制御の下で、規定された時間及び／又は時間期間及び／又は位置に対して使用を許可される工程とを含むことを特徴とする方法。
【請求項２３】
前記中央ユニット（３０）の前記ＳＭＳモジュール（３３）は、所望する使用の開始前の所定時間期間内に、前記ＳＭＳ（４１）を用いて前記ユーザ（１０）の前記移動体無線装置（４０）に前記識別コード（４１１）を送信することを特徴とする請求項２２に記載の方法。
【請求項２４】
前記中央ユニット（３０）は、前記コンピューティング・ユニット（２０）上における予約の確認を前記ユーザ（１０）に送信することを特徴とする請求項２２または２３に記載の方法。
【請求項２５】
前記中央ユニット（３０）の請求モジュール（３４）によって請求データが計算され、そして前記請求データが前記中央ユニット（３０）の通信モジュールを用いて、前記中央ユニット（３０、３４）から移動体無線ネットワーク（６３）のサービス・プロバイダ（７０）に送信されるものであり、前記請求データは、使用された容量を介して前記ユーザ（１０）が取得したサービスに対するコスト金額を計算するためのコスト・パラメータを含むことを特徴とする請求項２２乃至２４のいずれか１項に記載の方法。
【請求項２６】
前記ＳＭＳ（４１）がさらに、容量指定（４１２）及び／又は位置（４１２）及び／又は時間（４１２）及び／又は時間期間（４１２）を含むことを特徴とする請求項２２乃至２５のいずれか１項に記載の方法。
【請求項２７】
前記少なくとも１つの容量単位が、アクセス制御された領域中でアクセス可能または使用可能であり、前記ユーザ（１０）は、前記アクセス制御された領域に入るとき、前記識別コード（４１１）を用いて前記アクセス制御された領域の識別モジュールで自分を識別することを特徴とする請求項２２乃至２６のいずれか１項に記載の方法。
【請求項２８】
前記移動体無線装置（４０）が、コンピューティング・ユニット（２０）として使用されることを特徴とする請求項２２乃至２７のいずれか１項に記載の方法。
【請求項２９】
前記コンピューティング・ユニット（２０）は、１つまたは複数のコンピュータ・ネットワーク（６２）を介して、前記中央ユニット（３０）と通信することを特徴とする請求項２２乃至２８のいずれか１項に記載の方法。
【請求項３０】
前記１つまたは複数のコンピュータ・ネットワーク（６２）は、インターネットを含むことを特徴とする請求項２９に記載の方法。
【請求項３１】
前記１つまたは複数のコンピュータ・ネットワーク（６２）は移動体無線ネットワークを含み、前記コンピューティング・ユニット（２０）は、ＳＭＳ及び／又はＷＡＰを用いて前記中央ユニット（３０）と通信することを特徴とする請求項２９に記載の方法。
【請求項３２】
前記ユーザは、前記中央ユニット（３０）で、識別のために前記移動体無線装置（４０）のＭＳＩＳＤＮを示すことを特徴とする請求項２９乃至３１のいずれか１項に記載の方法。
【請求項３３】
中央ユニット（３０）にユーザ（１０）の識別のための識別モジュールを含み、乗物容量予約システムを介して識別に成功したとき、前記中央ユニット（３０）により前記ユーザ（１０）に容量単位の使用が許可されるコンピュータ支援による乗物容量予約システムであって、
前記中央ユニット（３０）は記憶モジュール（３１）を含み、それを用いることにより、前記乗物容量予約システムのすべての容量単位を登録することができ、個々の容量単位の時間的及び／又は位置的な利用可能性が、前記ユーザ（１０）の乗物に割り当てられて記憶可能であるものであり、さらに、
前記中央ユニットは、ＳＭＳ（４１）を用いて、移動体無線ネットワーク（６１）を介して、前記ユーザ（１０）の移動体無線装置（４０）に識別コード（４１１）を送信するＳＭＳモジュール（３３）を含み、さらに、
前記システムは、規定可能な時間及び／又は時間期間及び／又は位置に対して、少なくとも１つの容量単位を注文し及び／又は予約する通信手段を有するコンピューティング・ユニット（２０）を含み、前記少なくとも１つの容量単位が、規定可能な時間及び／又は時間期間及び／又は位置で利用可能であると前記中央ユニット（３０）によって示されるものであり、さらに、
前記ユーザ（１０）が、少なくとも前記識別コード（４１１）を含む前記移動体無線装置（４０）のＳＭＳを用いて、前記識別モジュールで識別可能であり、そして前記少なくとも１つの容量単位が、前記容量単位への前記アクセス制御下で許可システムを介して、規定された時間及び／又は時間期間および位置で前記中央ユニット（３０）によって使用可能となる、ことを特徴とするコンピュータ支援による乗物容量予約システム。
【請求項３４】
前記中央ユニット（３０）は、前記中央ユニット（３０、３４）から移動体無線ネットワーク（６３）のサービス・プロバイダ（７０）に請求データを送信することが可能な請求モジュール（３４）を含み、また前記請求データはコスト・パラメータを含み、それに基づいて、少なくとも１つの容量単位を介して前記ユーザが取得したサービスに対するコスト金額が計算可能であることを特徴とする請求項３３に記載のコンピュータ支援による乗物容量予約システム。
【請求項３５】
前記ＳＭＳ（４１）はさらに、容量指定（４１２）及び／又は位置（４１２）及び／又は時間（４１２）及び／又は時間期間（４１２）を含むことを特徴とする請求項３３または３４に記載のコンピュータ支援による乗物容量予約システム。
【請求項３６】
前記システムは、利用可能な乗物（５２、５３、５４）の駐車のためのアクセス制御された領域を含み、前記ユーザ（１０）は、前記アクセス制御された領域に、前記識別コード（４１１）によりアクセス可能であることを特徴とする請求項３３乃至３５のいずれか１項に記載のコンピュータ支援による乗物容量予約システム。
【請求項３７】
前記移動体無線装置（４０）は、前記コンピューティング・ユニット（２０）をさらに含むことを特徴とする請求項３３乃至３６のいずれか１項に記載のコンピュータ支援による乗物容量予約システム。
【請求項３８】
前記システムは、前記コンピューティング・ユニット（２０）を前記中央ユニット（３０）に接続する１つまたは複数のコンピュータ・ネットワーク（６２）を含むことを特徴とする請求項３３乃至３７のいずれか１項に記載のコンピュータ支援による乗物容量予約システム。
【請求項３９】
前記コンピュータ・ネットワークはインターネットを含むことを特徴とする請求項３８に記載のコンピュータ支援による乗物容量予約システム。
【請求項４０】
前記１つまたは複数のコンピュータ・ネットワーク（６２）は移動体無線ネットワークを含み、また前記コンピューティング・ユニット（２０）および前記中央ユニット（３０）はＳＭＳモジュール及び／又はＷＡＰモジュールを含むことを特徴とする請求項３８に記載のコンピュータ支援による乗物容量予約システム。
【請求項４１】
前記中央ユニット（３０）における前記ユーザの前記識別は、前記移動体無線装置（４０）のＭＳＩＳＤＮを含むことを特徴とする請求項３８乃至４０のいずれか１項に記載のコンピュータ支援による乗物容量予約システム。
【手続補正２】
【補正対象書類名】明細書
【補正対象項目名】００１７
【補正方法】変更
【補正の内容】
【００１７】
一実施形態では、コンピューティング・ユニットは、１つまたは複数のコンピュータ・ネットワークを介して中央ユニットと通信する。コンピュータ・ネットワークは、具体的には、ＬＡＮ（ローカル・エリア・ネットワーク）、ＷＡＮ（広域ネットワーク）、Ｂｌｕｅｔｏｏｔｈ（登録商標、以下同）、例えばＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）またはＵＭＴＳネットワーク（Ｕｎｉｖｅｒｓａｌ  Ｍｏｂｉｌｅ  Ｔｅｌｅｐｈｏｎｅ  Ｓｙｓｔｅｍ）など地上移動体無線ネットワークなどの移動体無線ネットワーク、および／または１つまたは複数の固定ネットワーク、例えばＰＳＴＮ（公衆電話交換網）、特にワールドワイド基幹ネットワーク（インターネット）とすることができる。この実施形態は特に、ユーザが、例えば、自分のワークステーションまたはＰＣから、インターネットまたは他の上記のコンピュータ・ネットワークを介して、貸出し業者で注文および予約を簡単に行うことができるという利点を有する。